(57)【要約】【課題】携帯端末でのコンテンツの視聴を円滑に情報処理装置に引継ぐことが可能な携帯端末、情報処理装置、コンテンツ表示システム、及びコンテンツ表示方法を提供することを目的とする。【解決手段】コンテンツ情報を受信する受信手段と、外部の情報機器と通信を行う外部機器通信手段と、前記受信手段により受信したコンテンツ情報を表示する表示手段と、前記表示手段に表示したコンテンツ情報を識別する識別情報を取得する取得手段と、ユーザの操作指示を受け付ける操作手段と、前記コンテンツ情報を表示している間に前記操作手段により前記識別情報の送信指示を受け付けた場合、前記取得手段により取得した前記識別情報を前記外部の情報機器に送信するとともに、前記表示手段による前記コンテンツ情報の表示を終了するよう制御する制御手段と、を備えることを特徴とする携帯端末。【選択図】図１
2020194547.tif 000002
【特許請求の範囲】
【請求項１】
放送信号またはインターネットを介してコンテンツを受信して表示可能な表示装置であって、
前記表示装置は、リモコンを介したユーザの操作入力により、放送信号の受信開始処理と、インターネットを介して取得するコンテンツの指定処理とが可能であり、
コンテンツを表示可能な表示部と、
インターネットを介して取得するコンテンツを表示可能な表示画面を有する端末であって、前記リモコンとは異なるモバイル端末と通信可能な通信部と、
前記表示部を制御可能な制御部と、
を備え、
前記制御部は、
前記リモコンを介したユーザの操作入力に応じて受信を開始した放送信号を介して取得した第１のコンテンツを前記表示部に表示し、前記表示部に前記第１のコンテンツを表示している第１の状態にする制御と、
前記通信部が前記表示画面を有するモバイル端末と第１の通信を行ったときに、前記第１の通信以外の操作入力を要さずに、前記表示部での前記第１のコンテンツの表示を終了し、前記表示画面を有するモバイル端末と前記第１の通信を行う前に前記表示画面を有するモバイル端末の前記表示画面で表示していた表示内容が動的に変化するコンテンツと同じコンテンツであって表示内容が動的に変化する第２のコンテンツを、インターネットを介して取得し、前記第２のコンテンツを前記表示部に表示し、前記表示部に前記第２のコンテンツが表示されている状態であって、かつ、前記表示部に表示されている前記第２のコンテンツの表示内容について、前記表示画面を有するモバイル端末と前記通信部とによる第２の通信による操作を受け入れる状態である第２の状態にする制御と、
前記通信部が前記表示画面を有するモバイル端末と第３の通信を行ったときに、前記第２の状態を終了する制御と、を行うものであり、
前記表示部における前記第２のコンテンツの表示の開始においては、前記第２のコンテンツの初期状態で開始するのではなく、前記モバイル端末の前記表示画面で表示していたコンテンツに対してユーザが行った複数種類の操作が、前記第１の通信に基づいて引き継がれ、前記表示部における前記第２のコンテンツの表示は前記複数種類の操作が反映された状態で開始される、
表示装置。
【請求項２】
請求項１に記載の表示装置において、
さらに映像処理部を備え、
前記映像処理部は、放送信号を介して取得したコンテンツとインターネットを介して取得したコンテンツの両者について映像処理を実行する、表示装置。
【請求項３】
請求項１または請求項２のいずれか一項に記載の表示装置において、
前記放送信号は地上波デジタル放送の放送信号である、表示装置。
【請求項４】
請求項１または請求項２のいずれか一項に記載の表示装置において、
前記放送信号はＢＳデジタル放送の放送信号である、表示装置。
【請求項５】
請求項１または請求項２のいずれか一項に記載の表示装置において、
前記放送信号はＣＳデジタル放送の放送信号である、表示装置。
【請求項６】
請求項１から請求項５のいずれか一項に記載の表示装置において、
前記表示画面を有するモバイル端末はスマートフォンである、表示装置。
【請求項７】
放送信号またはインターネットを介してコンテンツを受信して表示可能な表示装置であって、
前記表示装置は、リモコンを介したユーザの操作入力により、放送信号の受信開始処理と、インターネットを介して取得するコンテンツの指定処理とが可能であり、
コンテンツを表示可能な表示部と、
インターネットを介して取得するコンテンツを表示可能な表示画面を有する端末であって、前記リモコンとは異なるモバイル端末と通信可能な通信部と、
前記表示部を制御可能な制御部と、
を備え、
前記制御部は、
前記リモコンを介したユーザの操作入力に応じて受信を開始した放送信号を介して取得した第１のコンテンツを前記表示部に表示し、前記表示部に前記第１のコンテンツを表示している第１の状態にする制御と、
前記通信部が前記表示画面を有するモバイル端末と第１の通信を行ったときに、前記第１の通信以外の操作入力を要さずに、前記表示部での前記第１のコンテンツの表示を終了し、前記表示画面を有するモバイル端末と前記第１の通信を行う前に前記表示画面を有するモバイル端末の前記表示画面で表示していた表示内容が動的に変化するコンテンツと同じコンテンツであって表示内容が動的に変化する第２のコンテンツを、インターネットを介して取得し、前記第２のコンテンツを前記表示部に表示し、前記表示部に前記第２のコンテンツが表示されている状態であって、かつ、前記表示部に表示されている前記第２のコンテンツの表示内容について、前記表示画面を有するモバイル端末と前記通信部とによる第２の通信による操作を受け入れる状態である第２の状態にする制御と、
前記通信部が前記表示画面を有するモバイル端末と第３の通信を行ったときに、前記第２の状態を終了する制御と、を行うものであり、
前記第１の通信と前記第２の通信は異なり、
前記表示部における前記第２のコンテンツの表示の開始においては、前記第２のコンテンツの初期状態で開始するのではなく、前記モバイル端末の前記表示画面で表示していたコンテンツに対してユーザが行った複数種類の操作が、前記第１の通信に基づいて引き継がれ、前記表示部における前記第２のコンテンツの表示は前記複数種類の操作が反映された状態で開始される、
表示装置。
【請求項８】
請求項７に記載の表示装置において、
さらに映像処理部を備え、
前記映像処理部は、放送信号を介して取得したコンテンツとインターネットを介して取得したコンテンツの両者について映像処理を実行する、表示装置。
【請求項９】
請求項７または請求項８のいずれか一項に記載の表示装置において、
前記放送信号は地上波デジタル放送の放送信号である、表示装置。
【請求項１０】
請求項７または請求項８のいずれか一項に記載の表示装置において、
前記放送信号はＢＳデジタル放送の放送信号である、表示装置。
【請求項１１】
請求項７または請求項８のいずれか一項に記載の表示装置において、
前記放送信号はＣＳデジタル放送の放送信号である、表示装置。
【請求項１２】
請求項７から請求項１１のいずれか一項に記載の表示装置において、
前記表示画面を有するモバイル端末はスマートフォンである、表示装置。
【請求項１３】
放送信号またはインターネットを介してコンテンツを受信して表示可能な表示装置であって、
前記表示装置は、リモコンを介したユーザの操作入力により、放送信号の受信開始処理と、インターネットを介して取得するコンテンツの指定処理とが可能であり、
コンテンツを表示可能な表示部と、
インターネットを介して取得する映像コンテンツを表示可能な表示画面を有する端末であって、前記リモコンとは異なるモバイル端末と通信可能な通信部と、
前記表示部を制御可能な制御部と、
を備え、
前記制御部は、
前記リモコンを介したユーザの操作入力に応じて受信を開始した放送信号を介して取得した第１の映像コンテンツを前記表示部に表示し、前記表示部に前記第１の映像コンテンツを表示している第１の状態にする制御と、
前記通信部が前記表示画面を有するモバイル端末と第１の通信を行ったときに、前記第１の通信以外の操作入力を要さずに、前記表示部での前記第１の映像コンテンツの表示を終了し、前記表示画面を有するモバイル端末と前記第１の通信を行う前に前記表示画面を有するモバイル端末の前記表示画面で表示していた映像コンテンツと同じコンテンツである第２の映像コンテンツを、インターネットを介して取得し、前記第２の映像コンテンツを前記表示部に表示し、前記表示部に前記第２の映像コンテンツが表示されている状態であって、かつ、前記表示部に表示されている前記第２の映像コンテンツの表示内容について、前記表示画面を有するモバイル端末と前記通信部とによる第２の通信による操作を受け入れる状態である第２の状態にする制御と、
前記通信部が前記表示画面を有するモバイル端末と第３の通信を行ったときに、前記第２の状態を終了する制御と、を行うものであり、
前記表示部における前記第２の映像コンテンツの表示の開始においては、前記第２の映像コンテンツの初期状態で開始するのではなく、前記モバイル端末の前記表示画面で表示していた映像コンテンツに対してユーザが行った複数種類の操作が、前記第１の通信に基づいて引き継がれ、前記表示部における前記第２の映像コンテンツの表示は前記複数種類の操作が反映された状態で開始される、表示装置。
【請求項１４】
請求項１３に記載の表示装置において、
さらに映像処理部を備え、
前記映像処理部は、放送信号を介して取得した映像コンテンツとインターネットを介して取得した映像コンテンツの両者について映像処理を実行する、表示装置。
【請求項１５】
請求項１３または請求項１４のいずれか一項に記載の表示装置において、
前記放送信号は地上波デジタル放送の放送信号である、表示装置。
【請求項１６】
請求項１３または請求項１４のいずれか一項に記載の表示装置において、
前記放送信号はＢＳデジタル放送の放送信号である、表示装置。
【請求項１７】
請求項１３または請求項１４のいずれか一項に記載の表示装置において、
前記放送信号はＣＳデジタル放送の放送信号である、表示装置。
【請求項１８】
請求項１３から請求項１７のいずれか一項に記載の表示装置において、
前記表示画面を有するモバイル端末はスマートフォンである、表示装置。
【請求項１９】
放送信号またはインターネットを介してコンテンツを受信して表示可能な表示装置であって、
前記表示装置は、リモコンを介したユーザの操作入力により、放送信号の受信開始処理と、インターネットを介して取得するコンテンツの指定処理とが可能であり、
コンテンツを表示可能な表示部と、
インターネットを介して取得する映像コンテンツを表示可能な表示画面を有する端末であって、前記リモコンとは異なるモバイル端末と通信可能な通信部と、
前記表示部を制御可能な制御部と、
を備え、
前記制御部は、
前記リモコンを介したユーザの操作入力に応じて受信を開始した放送信号を介して取得した第１の映像コンテンツを前記表示部に表示し、前記表示部に前記第１の映像コンテンツを表示している第１の状態にする制御と、
前記通信部が前記表示画面を有するモバイル端末と第１の通信を行ったときに、前記第１の通信以外の操作入力を要さずに、前記表示部での前記第１の映像コンテンツの表示を終了し、前記表示画面を有するモバイル端末と前記第１の通信を行う前に前記表示画面を有するモバイル端末の前記表示画面で表示していた映像コンテンツと同じコンテンツである第２の映像コンテンツを、インターネットを介して取得し、前記第２の映像コンテンツを前記表示部に表示し、前記表示部に前記第２の映像コンテンツが表示されている状態であって、かつ、前記表示部に表示されている前記第２の映像コンテンツの表示内容について、前記表示画面を有するモバイル端末と前記通信部とによる第２の通信による操作を受け入れる状態である第２の状態にする制御と、
前記通信部が前記表示画面を有するモバイル端末と第３の通信を行ったときに、前記第２の状態を終了する制御と、を行うものであり、
前記第１の通信と前記第２の通信は異なり、
前記表示部における前記第２の映像コンテンツの表示の開始においては、前記第２の映像コンテンツの初期状態で開始するのではなく、前記モバイル端末の前記表示画面で表示していた映像コンテンツに対してユーザが行った複数種類の操作が、前記第１の通信に基づいて引き継がれ、前記表示部における前記第２の映像コンテンツの表示は前記複数種類の操作が反映された状態で開始される、
表示装置。
【請求項２０】
請求項１９に記載の表示装置において、
さらに映像処理部を備え、
前記映像処理部は、放送信号を介して取得した映像コンテンツとインターネットを介して取得した映像コンテンツの両者について映像処理を実行する、表示装置。
【請求項２１】
請求項１９または請求項２０のいずれか一項に記載の表示装置において、
前記放送信号は地上波デジタル放送の放送信号である、表示装置。
【請求項２２】
請求項１９または請求項２０のいずれか一項に記載の表示装置において、
前記放送信号はＢＳデジタル放送の放送信号である、表示装置。
【請求項２３】
請求項１９または請求項２０のいずれか一項に記載の表示装置において、
前記放送信号はＣＳデジタル放送の放送信号である、表示装置。
【請求項２４】
請求項１９から請求項２３のいずれか一項に記載の表示装置において、
前記表示画面を有するモバイル端末はスマートフォンである、表示装置。
【発明の詳細な説明】
【技術分野】
【０００１】
本発明は、表示装置に関する。
【背景技術】
【０００２】
インターネットサイトやテレビ番組を閲覧可能な携帯電話が普及している。一方、ネットワークに接続可能なテレビも普及し始めている。このような中、携帯電話で視聴したコンテンツと同一のコンテンツをテレビで使い勝手良く視聴するための技術や、携帯電話をテレビを操作するリモコンとして利用する技術が検討されている。
【０００３】
例えば、特許文献１には、放送受信機能を備えた携帯電話において、視聴した放送番組の視聴履歴や再生指示信号を映像再生装置を送信する携帯電話が開示されている。この携帯電話によると、外出中に観た番組を、帰宅後に大画面で再度観ることや、外出先での空いた時間に番組の一部を視聴し、続きや、その前後、あるいは番組の最初から最後までを帰宅後に屋内の録画再生装置で鑑賞する事が可能となる。
【０００４】
また、特許文献２には、携帯電話と情報処理装置と表示装置とを含むシステムにおいて、携帯電話にＵＲＬ情報付きのメールデータが受信された場合にそのメールデータを無線通信により情報処理装置へ転送し、携帯電話から無線通信により転送されてくる前記メールデータを情報処理装置において受信して当該メールデータを表示装置に表示させ、表示装置に表示されたメールデータの中のＵＲＬ情報に対する操作が行われた場合、そのＵＲＬ情報に基づき上記無線通信とは異なる無線通信ネットワークに接続されるサーバ装置へアクセスして取得される情報を表示装置に表示させることが記載されている。
【０００５】
また、特許文献３には、通常別の機能を有する通信端末装置を、他の通信端末装置を遠隔操作するリモコンとして用いることが記載されている。
【０００６】
また、特許文献４には、インターネットを介してテレビ会議用サーバと接続され、前記テレビ会議用サーバと情報の授受を行なうことのできる携帯電話と、通信機能により前記携帯電話と接続されることにより前記情報を表示することのできる表示機器とを用いて、テレビ会議用サーバとネットワークを介して接続された機器の制御を行なうテレビ会議システムであって、前記携帯電話が有する第１のディスプレイには前記情報を文字で表示する第１のテレビ電話画面を表示し、前記表示機器の有する第２のディスプレイに前記情報に含まれる画像情報を表示する第２のテレビ電話画面を表示する情報表示手段を有することを特徴とするテレビ会議システムが記載されている。また、特許文献４には、携帯電話を用いて監視カメラの遠隔操作を行い、その映像をPCの表示画面に表示させるシステムが記載されている。
【先行技術文献】
【特許文献】
【０００７】
【特許文献１】特開２００６−２８６８５５号公報（要約）
【特許文献２】特開２００５−１３５３４６号公報（要約）
【特許文献３】特開２００６−３３８４０６号公報（段落番号０１５２）
【特許文献４】特開２００７−７４２６５号公報（請求項７、段落番号００６８）
【発明の概要】
【発明が解決しようとする課題】
【０００８】
特許文献１の携帯端末等は、外出中に観た番組を、帰宅後に大画面で再度観たいとか、外出先での空いた時間に番組の一部を視聴し、続きや、その前後、あるいは番組の最初から最後までを帰宅後に屋内の録画再生装置で鑑賞したい等の要望に応えるために（段落番号０００６）、過去に視聴を終えた番組を一覧表示し（図７）、その中から選択された番組を映像再生装置で再生させる構成を採る。
【０００９】
しかし、携帯端末で今まさに視聴しているコンテンツの視聴を、映像再生装置に引継ぎたいという要望が存在する。例えば、映像再生装置が設置されている室内において、ユーザが携帯端末で番組を視聴しており、その視聴を引継ぐ場合である。
【００１０】
このような場合、特許文献１記載の携帯端末によると、ユーザは、携帯端末での視聴を終了し、さらに過去に視聴した番組のリストから映像再生装置に再生させたい番組を選択する操作が必要となる。このため、操作の手順が多いという問題がある。
【００１１】
特許文献２記載のメール端末によると、URLを送信することにより、インターネットサイトを携帯電話で視聴していたかの情報を情報処理装置が受信することができる。しかし、特許文献２記載のメール端末を用いると、情報処理装置側で、インターネットサイトを視聴しようとする場合には、ユーザは情報処理装置を操作する必要がある。このため、操作の手順が多いという問題がある。
【００１２】
特許文献３及び特許文献４には、通信端末装置で視聴していたコンテンツの視聴をテレビ等に引継ぐことが記載されていない。従って、通信端末装置で今まさに視聴しているコンテンツの視聴を、映像再生装置に引継ぐ場合には、ユーザは、例え携帯端末をリモコンに用いたとしても携帯端末での視聴の終了の操作と、映像再生装置での映像の再生操作等をそれぞれ行う必要があり、操作の手順が多いという問題がある。
【００１３】
このように、携帯端末で今まさに視聴しているコンテンツの視聴を、映像再生装置に引継ごうとする場合に、より円滑に連携動作を行わせることについては記載されていなかった。
【００１４】
本発明は、かかる問題を考慮した上で、携帯端末でのコンテンツの視聴を円滑に情報処理装置に引継ぐことが可能な携帯端末、情報処理装置、コンテンツ表示システム及びコンテンツ表示方法を提供することを目的とする。
【課題を解決するための手段】
【００１５】
本発明の携帯端末は、コンテンツ情報を受信する受信手段と、外部の情報機器と通信を行う外部機器通信手段と、受信手段により受信したコンテンツ情報を表示する表示手段と、表示手段に表示したコンテンツ情報を識別する識別情報を取得する取得手段と、ユーザの操作指示を受け付ける操作手段と、コンテンツ情報を表示している間に操作手段により識別情報の送信指示を受け付けた場合、取得手段により取得した識別情報を外部の情報機器に送信するとともに、表示手段によるコンテンツ情報の表示を終了するよう制御する制御手段と、を備える。
【００１６】
また、本発明の情報処理装置は、コンテンツ情報を入力する入力手段と、携帯端末と通信を行う通信手段と、入力手段により入力されたコンテンツ情報を表示する表示手段と、表示手段にて第１のコンテンツ情報を表示している間に、携帯端末上で表示された第２のコンテンツ情報を識別する識別情報を携帯端末から通信手段により受信した場合に、表示手段にて表示する識別情報に対応する第２のコンテンツ情報を入力手段より入力し、表示手段により第１のコンテンツに代えて入力した第２のコンテンツ情報を表示するように制御し、表示手段による第２のコンテンツ情報の終了を指示する指示信号を通信手段により受信した場合には、第２のコンテンツ情報の表示を終了し、第１のコンテンツの表示を再開するように制御する制御手段と、を備える。
【発明の効果】
【００１７】
本発明によると、携帯端末でのコンテンツの視聴を円滑に情報処理装置に引継ぐことが可能な携帯端末、情報処理装置、コンテンツ表示システム及びコンテンツ表示方法を提供することが可能となる。
【図面の簡単な説明】
【００１８】
【図１】実施例１及び実施例２のインターネット接続端末及びモバイル端末の動作環境を示す概観図である。
【図２】実施例１のインターネット接続端末の構成を示すブロック図である。
【図３】実施例１のモバイル端末の構成を示すブロック図である。
【図４】実施例１ないし実施例３のインターネット接続端末及びモバイル端末の画面表示の遷移の例を示す図である。
【図５】実施例１のインターネット接続端末及びモバイル端末の動作を説明する流れ図である。
【図６】実施例２のインターネット接続端末の構成を示すブロック図である。
【図７】実施例２のモバイル端末の構成を示すブロック図である。
【図８】実施例２のインターネット接続端末及びモバイル端末の動作を説明する流れ図である。
【図９】実施例３の操作履歴の構成を示すデータ構成図である。
【図１０】実施例３の操作履歴の構成を示すデータ構成図である。
【図１１】実施例３の送信データの構成を示すデータ構成図である。
【図１２】実施例３のインターネット接続端末及びモバイル端末の動作を説明する流れ図である。
【発明を実施するための形態】
【００１９】
以下、本発明を適用した各実施例について説明する。
【実施例１】
【００２０】
以下の実施例では、携帯端末の一例としてモバイル端末、情報処理装置の一例としてインターネット接続端末１００、コンテンツの一例としてインターネットサイトについて説明する。
【００２１】
本実施例のインターネット接続端末１００及びモバイル端末１０１は、インターネットに接続しインターネットサイトが提供するホームページを表示することが可能な端末である。図１は、入力部１０２、基地局１０３、インターネット１０４、によりインターネット接続端末１００及びモバイル端末１０１がインターネット１０４への接続する際の関連設備及び接続環境の概要を示す。モバイル端末１０１は、例えば、携帯電話、PDA、スマートフォン等の可搬性のある情報処理端末をいう。
【００２２】
入力部１０２は、モバイル端末１０１の入力装置であり、例えば、複数のボタン等で構
成される。ユーザは入力部１０２が備えるキーやボタン、ダイヤルを用いてモバイル端末
１０１に対する操作を行う。
【００２３】
基地局１０３は、モバイル端末１０１がインターネットに接続する際に無線で通信を行う基地局である。
【００２４】
インターネット１０４は、いわゆるＷｅｂサーバや各種のインターネット上のサービスの集合を概念的に示したものであり、インターネット接続端末１００や基地局１０３が接続される。モバイル端末１０１は基地局１０３を介してインターネット１０４に接続する。
【００２５】
インターネット接続端末１００は、例えば、テレビ装置、STB、DLNA(Digital  Living  Network  Alliance)対応ホームサーバ等、映像を出力する機能を有し、インターネットに接続する機能を有する装置である。インターネット接続端末１００は、インターネットに接続しホームページ等を表示することが可能であると同時に、地上波やＢＳ、ＣＳ、インターネット等で配信されるデジタル放送を視聴することが可能である。インターネット接続端末１００は、例えば図２に示すように、デジタル放送受信部２００、デジタル放送信号処理部２０１、システム制御部２０２、音声処理部２０３、スピーカ２０４、映像処理部２０５、表示部２０６、ネットワーク通信部２０７、インターネットブラウザ２０８、データ保存部２０９、データ送受信部２１０、を備える。
【００２６】
デジタル放送受信部２００は、所望の放送データをアンテナやケーブルから受信し、受信した信号に基づき、後述するデジタル放送信号処理部２０１でデジタル処理が可能なデータを復元する回路である。
【００２７】
デジタル放送信号処理部２０１は、例えば、デマックスを行う信号分離器、復号処理を行う複合装置等で構成される。デジタル放送信号処理部２０１は、デジタル放送受信部２００から得られるデジタル放送のデータを入力し、当該データに含まれる音声データと映像データとを分離し、それぞれ、後述する音声処理部２０３と映像処理部２０５とで処理可能なデータ形式に変換して出力する。
【００２８】
システム制御部２０２は、例えばマイクロプロセッサから構成され、デジタル放送の再生やインターネットへのアクセスに必要な各処理部の動作を制御する。
【００２９】
音声処理部２０３は例えば、AD変換器等で構成する。音声処理部２０３は、デジタル放送信号処理部２０１から供給されたデジタル音声データをアナログ音声データに変換し、スピーカ２０４に出力する。
【００３０】
スピーカ２０４は、音声処理部２０３から供給されたアナログ音声データを音声に変換して放音する。
【００３１】
映像処理部２０５は、例えば、ASIC、FPGA、MPU等の処理装置により構成される。映像処理部２０５は、デジタル放送信号処理部２０１や後述するインターネットブラウザ２０８から供給された映像データを、表示部２０６で処理可能な形態に変換して出力する。
【００３２】
表示部２０６は、例えば、液晶ディスプレイ、プラズマディスプレイ等の表示装置で構成される。表示部２０６は、表示パネルとパネル制御回路とパネル制御ドライバとから構成され、映像処理部２０５から供給されるデータで構成される映像を表示パネルに表示する。ここで、インターネット接続端末がSTB（セットトップボックス）や、DLNA対応ホームサーバである場合は、表示部２０６を備えるかわりに、RGBフォーマット等で構成される映像信号を、外部の表示機器に出力する。
【００３３】
ネットワーク通信部２０７は、例えばインターネットに接続可能な通信モジュール等で構成される。ネットワーク通信部２０７は、システム制御部２０２の要求に従い、インターネット１０４に対し所定のデータを送受信する。
【００３４】
インターネットブラウザ２０８は、システム制御部２０２の指示に従い、ネットワーク通信部２０７を介してインターネット１０４から取得したコンテンツの表示制御や管理を行うソフトウェアである。インターネットブラウザ２０８は、メモリ内に記憶され、システム制御部２０２がデータ保存部から読み出して制御を行う。また、インターネットブラウザ２０８は、専用の回路によって実装してもよい。
【００３５】
また、インターネットブラウザ２０８に表示するＵＲＬは、後述するデータ送受信部２１０やネットワーク通信２０７より受信したり、あるいは図示しないリモコン等によってユーザが入力することにより取得する。
【００３６】
データ保存部２０９は、フラッシュメモリや光ディスク、または磁気ディスク等の情報記録装置により構成され、受信したデジタル放送の番組情報やインターネット１０４から取得したコンテンツや、各処理部の動作に必要なデータを記憶する。
【００３７】
データ送受信部２１０は、モバイル端末１０１などの外部の端末と例えばＢｌｕｅｔｏｏｔｈや無線ＬＡＮ等の規格に準拠した無線通信を行う通信装置で構成する。データ送受信部２１０は、当該通信で得たデータや信号をシステム制御部２０２に出力する。
【００３８】
モバイル端末１０１は、図３に示すように、通信部３００、システム制御部３０１、インターネットブラウザ３０２、データ保存部３０３、映像処理部３０４、表示部３０５、データ送受信部３０６、を備える。
【００３９】
通信部３００は、基地局１０３と無線通信を行う機能を備えており、後述するシステム制御部３０１の要求に従い、必要なデータの送受信を基地局１０３に対して行う。通信部３００は、例えば例えばフロントエンドモジュール等の送受信装置により構成される。
【００４０】
システム制御部３０１は、例えばMPU、マイクロプロセッサ等の情報処理装置から構成され、インターネットへのアクセスやその他のモバイル端末１０１の動作に必要な各処理部の制御を行う。
【００４１】
インターネットブラウザ３０２は、システム制御部３０１の指示に従い、通信部３００及び基地局１０３を介してインターネット１０４から取得したコンテンツの管理と表示制御とを行うソフトウェアである。インターネットブラウザ３０２は、メモリ内に記憶され、システム制御部３０１がデータ保存部から読み出して制御を行う。また、インターネットブラウザ３０２は、専用の回路によって実装してもよい。また、インターネットサイトのＵＲＬは、後述するＵＲＬの入力部１０２や、通信部３００やデータ送受信部３０６によって取得する構成とする。
【００４２】
データ保存部３０３は、フラッシュメモリ等から構成され、インターネット１０４から取得したコンテンツや各処理部の動作に必要なデータを記憶する。
【００４３】
映像処理部３０４は、例えばMPU等の処理装置で構成される。映像処理部３０４は、インターネットブラウザ３０２から供給されたコンテンツを、表示部３０５で処理可能な形態に変換して出力する。
【００４４】
表示部３０５は、例えば、表示パネルとパネル制御回路とパネル制御ドライバとから構成され、映像処理部３０４から供給されるデータで構成される映像を表示パネルに表示する。
【００４５】
データ送受信部３０６は、インターネット接続端末１００などの外部の端末と例えばＢｌｕｅｔｏｏｔｈ（登録商標）や無線ＬＡＮ等の規格に準拠した無線通信を行い、それらの通信で得たデータや信号をシステム制御部３０１に出力する。
【００４６】
インターネット接続端末１００及びモバイル端末１０１は、後述する通り、モバイル端末１０１に表示中のインターネットサイトをインターネット接続端末１００で表示し、さらにユーザはモバイル端末１０１を用いてインターネット接続端末１００を操作することが可能であり、図４に示すように、状態Ａ、画面表示４０１、ボタン表示４０２、画面表示４０３、状態Ｂ、画面表示４０４、ボタン表示４０５、画面表示４０６、によりインターネット接続端末１００及びモバイル端末１０１の画面の構成や画面遷移の概要が示される。
【００４７】
状態Ａは、ユーザがモバイル端末１０１でインターネット閲覧中の両端末の画面の状態を示している。画面表示４０１は、モバイル端末１０１の表示部３０５にインターネットサイトを表示した際の例を示している。また、ボタン表示４０２はモバイル端末１０１の表示部３０５内に表示されるアイコンであり、該ボタン表示４０２と関係するボタンの操作により行われる動作の関係を表示する。ボタン表示４０５も同様である。本例では、ユーザが入力部１０２を用いてボタン表示４０２の選択に対応するボタンを押下することにより、後述するインターネットサイトの表示をインターネット接続端末１００に切り替える処理が行われる。当該ボタンには通常携帯電話の他の機能が割り当てられており、モバイル端末１０１にてインターネットサイトを表示している場合に切り替え処理に割り当てられる構成としてもよい。画面表示４０３はインターネット接続端末の表示部２０６にテレビ番組を表示した際の例を示している。
【００４８】
状態Ｂは、ユーザがインターネット接続端末１００でインターネット閲覧中の両端末の画面状態を示している。画面表示４０４はモバイル端末１０１の表示部３０５にモバイル端末１０１を使用してインターネット接続端末１００を操作する際の操作ガイド表示した際の例を示している。また、該画面表示４０４が表示されている間は、モバイル端末１０１はインターネット接続端末１００に対して操作することが可能となる。画面表示４０６はインターネット接続端末の表示部２０６にインターネットサイトを表示した際の例を示している。また、該画面表示４０６では、前記画面状態４０１でモバイル端末１０１に表示されていたインターネットサイトのホームページがインターネット接続端末１００に表示されている様子を示している。本例では、ユーザが入力部１０２を用いてボタン表示４０５の選択に対応するボタンを押下することにより、後述するインターネットサイトの表示をインターネット接続端末１００から携帯端末１０１に切り替える処理が行われる。
【００４９】
ここで、状態Ａから状態Ｂに切り替わる場合には、モバイル端末１０１上でのインターネットサイトの表示は終了する。また、状態Ｂから状態Ａに切り替わる場合には、インターネット接続端末１００でのインターネットサイトの表示は終了する。
【００５０】
なお、ボタン表示４０２、４０５及びそれらに対応するボタンの代わりに、タッチパネル式の入力装置を備えてもよい。
【００５１】
次に、上記構成のインターネット接続端末１００及びモバイル端末１０１の動作を図２、図３、図４、及び図５のフローチャートを参照して説明する。
【００５２】
インターネット接続端末１００は、デジタル放送を受信再生中に、ユーザの操作によりモバイル端末１０１から無線通信にてインターネットサイトのＵＲＬが送信されると、該URLが示すインターネットサイトを表示する。また、この表示に続いてモバイル端末１０１によるインターネット接続端末１００の操作を受け付けるものである。
【００５３】
先ず、インターネット接続端末１００がデジタル放送を受信再生する動作について図２を参照して説明する。
【００５４】
ユーザが、インターネット接続端末１００に対し、図示しないリモコン等を用いた操作により、デジタル放送の受信再生の開始を指示したとする。
【００５５】
この場合、インターネット接続端末１００は前記指示に応答して、データ送受信部２１０が前記リモコンから受信したデジタル放送の受信再生の開始を指示する信号を、所定の情報に置換してシステム制御部２０２に通知する。システム制御部２０２は、デジタル放送受信部２００、デジタル放送信号処理部２０１、音声処理部２０３、映像処理部２０５に、受信処理の開始する指示を与える。
【００５６】
前記システム制御部２０２からの指示により、デジタル放送受信部２００は、アンテナ及びケーブルから得られる信号に基づき、デジタル放送信号処理部２０１でデジタル処理可能なデータを復元する。また、復元したデータをデジタル放送信号処理部２０１に出力する。
【００５７】
デジタル放送信号処理部２０１は、受信したデータに含まれる映像データや音声データを分離し、各々を所定の映像信号や音声信号に変換して出力する。また、この際に映像信号と音声信号が対応して出力されるように、各々の信号の出力タイミングの同期を取る。  
【００５８】
音声処理部２０３はデジタル放送信号処理部２０１から受けた音声信号をスピーカ２０４の入力に適した信号に変換し出力する。これにより、スピーカ２０４から音声が出力される。
【００５９】
一方、映像処理部２０５はデジタル放送信号処理部２０１から受けた映像信号を表示部２０６の入力に適した信号に変換し出力する。これにより、表示部２０６から映像が出力される。
【００６０】
以上の一連の動作により、インターネット接続端末１００によりデジタル放送の受信再生がなされる。
【００６１】
次に、インターネット接続端末１００がインターネット１０４にアクセスし、インターネットサイトを表示する動作について図２を参照して説明する。
【００６２】
ユーザが、入力部１０２等を用いてインターネット接続端末１００に対し、後述するように、モバイル端末１０１を用いて、無線通信によりインターネットサイトのＵＲＬを送信したとする。この場合、インターネット接続端末１００は前記ＵＲＬの送信に応答して、データ送受信部２１０にて前記無線通信のデータを受信し、該データから得られるＵＲＬをシステム制御部２０２に通知する。
【００６３】
システム制御部２０２はインターネットブラウザ２０８に該ＵＲＬを出力する。該ＵＲＬを受け取ったインターネットブラウザ２０８は、システム制御部２０２およびネットワーク通信部２０７を介して該ＵＲＬが示すインターネットサイトにアクセスし、インターネットサイトのホームページのデータを受信する。
【００６４】
ネットワーク通信部２０７は、例えばＨＴＴＰ等の通信プロトコルを用いてインターネット１０４にアクセスし、前記インターネットサイトのホームページのデータを受信し、システム制御部２０２を介して、該データをインターネットブラウザ２０８に出力する。インターネットブラウザ２０８は受信した該データからホームページとして表示する画像を構成し、該画像を映像処理部２０５の入力に適した映像信号に変換して出力する。
【００６５】
映像処理部２０５はインターネットブラウザ２０８から得られる映像信号を表示部２０６の入力に適した信号に変換し出力する。これにより、表示部２０６から前記ホームページの画像が出力される。また、前記の一連の動作において、一時的に端末内に蓄積するデータがある場合には、インターネットブラウザ２０８が必要に応じて該データをデータ保存部２０９に保存する。
【００６６】
モバイル端末１０１は、インターネットサイトを表示中に後述する所定のユーザ操作を行うことにより、無線通信にて該インターネットサイトのＵＲＬをインターネット接続端末１００に送信し、該送信に続いてモバイル端末１０１がインターネット接続端末１００を操作可能な状態になり、ユーザがモバイル端末１００を用いてインターネット接続端末１００を操作することを可能にするものである。
【００６７】
先ず、モバイル端末１０１が基地局１０３を介してインターネット１０４にアクセスし、インターネットサイトを表示する動作について図３を参照して説明する。
【００６８】
ユーザがモバイル端末１０１の入力部１０２を介してモバイル端末１０１に対する所定の操作を行い、モバイル端末１０１にあるインターネットサイトの表示を指示したとする。
【００６９】
この場合、モバイル端末１０１のシステム制御部３０１は入力部１０２を介して受けた前記ユーザの指示により、インターネットサイトの表示を行うインターネットブラウザ３０２を起動する。システム制御部３０１は、該インターネットブラウザ３０２が、通信部３００を介して、起動直後に表示するインターネットサイトにアクセスし、該インターネットサイトのホームページのデータを受信するように指示を与える。
【００７０】
通信部３００は無線通信にて基地局１０３と通信を行い、該基地局１０３を介してインターネット１０４にアクセスし、前記インターネットサイトのホームページのデータを受信する。さらに通信部３００はシステム制御部３０１を介して、該データをインターネットブラウザ３０２に出力する。インターネットブラウザ３０２は受信した該データからホームページとして表示する画像を構成し、該画像を映像処理部３０４の入力に適した映像信号に変換して出力する。映像処理部３０４はインターネットブラウザ３０２から得られる映像信号を表示部３０５の入力に適した信号に変換し出力する。これにより、表示部３０５から前記ホームページの画像が出力される。また、前記の一連の動作において、一時的に端末内に蓄積するデータがある場合には、インターネットブラウザ３０２が必要に応じて該データをデータ保存部３０３に保存する。
【００７１】
同様に、モバイル端末１０１は、ユーザの入力により、またはハイパーリンクに組込まれているＵＲＬを取得し、このＵＲＬが示すインターネットサイトにアクセスするように制御する。また、システム制御部３０１は、インターネットブラウザ３０２が表示したインターネットサイトのＵＲＬをデータ保存部３０３に記憶するように制御する。
【００７２】
次に、インターネット接続端末１００とモバイル端末１０１を用いて、モバイル端末１０１で表示するインターネットサイトをインターネット接続端末１００で表示し、この表示に続いてモバイル端末１０１によりインターネット接続端末１００を操作する動作の詳細について図４及び図５のフローチャートを参照しながら説明する。
【００７３】
図５では、モバイル端末１０１の動作を枠５００の中に示し、インターネット接続端末１００の動作を枠５１３の中に示している。以降の説明では枠５００内の動作の流れと枠５１３内の動作の流れを並行して説明することにより、モバイル端末１０１とインターネット接続端末１００のそれぞれの動作の流れと、両端末の動作の流れにおける関係を同時に説明する。また以降の説明では、モバイル端末１０１を一例として携帯電話とし、インターネット接続端末１００を一例としてインターネット接続機能を有するテレビとする。
【００７４】
先ず、ユーザは予め、携帯電話に対し、所定の設定画面にて後述するインターネットの閲覧を行う対象となるテレビの種類を、例えば入力部１０２を用いてメーカや型番の指定により設定する（ステップ５０１）。ここで、データ保存部３０３には、入力された型番等の番号と、ユーザになされる操作と、送信すべき信号や情報とを対応づけて記憶している。そして、制御手段３０１がデータ保存部を入力された操作と、送信する情報とを対応づけることによりテレビへ送信するコマンドを設定する。このコマンドの設定により、テレビに認識されうるコマンドを携帯電話から送信可能な状態となる。
【００７５】
ユーザは所定の操作によりテレビの電源を入れ、テレビは先に述べた仕組みによりデジタル放送受信部２００から受信する放送を受信再生する（ステップ５１４）。前記ステップ５１４はユーザがテレビを単体で使用する場合の状態であり、この状態をテレビの通常モードとする。電源が入っている状態とは、少なくとも主電源が入っている状態を指す。  
【００７６】
ユーザは携帯電話に所定のインターネットの表示を開始する操作を行う。該操作により、携帯電話の表示部３０５には画面表示４０１に示すようにインターネットサイトが表示され、ユーザはインターネットサイトを閲覧することができる（ステップ５０２）。
【００７７】
前記ステップ５０１と５０２はユーザが携帯電話を単体で使用する場合の状態であり、この状態を携帯電話の通常モードとする。
【００７８】
前記インターネットサイトの閲覧中に、ユーザが該インターネットサイトをテレビで閲覧しようとしたとする。この場合、ユーザは携帯電話の表示部３０５内に表示されるボタン４０２表示を選択する操作を入力部１０２によって行う（ステップ５０３）。前記操作により、携帯電話は該インターネットサイトの表示をテレビに切り換える処理を行うための状態である表示切り換えモードとなる。
【００７９】
携帯電話が表示切り換えモードになると、携帯電話のシステム制御部３０１は、表示中のインターネットサイトのＵＲＬを、データ送受信部３０６を介してテレビに送信する（ステップ５０４）。また、システム制御部３０１は、ＵＲＬを送信した後に、またはＵＲＬを送信するとともに、携帯端末上でのインターネットサイトの表示を終了するように、表示部３０５等を制御する。また、携帯電話は、URLとともに、テレビに対して、インターネットサイトの表示を指示する信号を送信する構成としてもよい。
【００８０】
テレビは前記ＵＲＬをデータ送受信部２１０を介して携帯電話から受信し（ステップ５１５）、先に述べた手順により前記ＵＲＬが示すインターネットサイトに接続し、画面表示４０６に示すように、表示部２０６にインターネットサイトを表示する（ステップ５１６）。前記ステップ５１６により、テレビは携帯電話からの操作を受け付ける状態になり、この状態を外部操作受入モードとする。また、ステップ５１６の動作により、テレビの表示は、それ以前に表示していたコンテンツから携帯電話から受信したＵＲＬに対応するコンテンツに切り替わる。
【００８１】
一方、携帯電話では、前記ＵＲＬを送信した後に、システム制御部３０１が入力部１０２の一部のキーを用いて、後述するテレビを操作可能な構成となり、この状態を操作切り換えモードとする。表示部３０５には、例えば画面表示４０４に示すように該キーの押下により可能な操作の内容をユーザに説明する表示を行う（ステップ５０５）。
【００８２】
ここで、前記テレビを操作可能な構成とは、入力部１０２の一部のキーを押下することにより、ステップ５０１で設定された種類のテレビが判別可能な、テレビに対する操作を示すデータを送信することであり、該データは例えばステップ５０１で設定された種類のテレビのリモコンが送信するデータと同じ内容となる。これにより、ユーザが前記テレビに表示中のインターネットサイトの選択項目の移動や、選択項目の決定などの操作を行おうとした場合には、携帯電話の前記入力部１０２のキーのうち、画面表示４０４が示す操作内容に対応するキーを押下することにより、携帯電話からテレビに対して該操作の指示を示す情報や信号を送信する（ステップ５０６）。本ステップの動作により携帯電話はテレビのリモコンとして機能する。また、本ステップの動作は例えば制御３０１の制御により行う。
【００８３】
携帯電話から前記操作の指示を示す情報や信号をデータ送受信部２１０により受信したテレビは、システム制御部２０１の制御によりインターネットを表示する画面表示４０６の画面やインターネットブラウザ２０８の動作に該指示の内容を反映させる（ステップ５１７）。
【００８４】
上述のようなユーザがテレビでインターネットサイトを閲覧する状態から、再び携帯電話でインターネットサイトを閲覧する状態に戻ろうとした場合、ユーザは携帯電話の表示部３０５内に表示されるボタン表示４０５を選択する操作を行う（ステップ５０７）。該操作により、携帯電話はデータ送受信部３０６を介した通信によりインターネットの表示の終了を示すデータをテレビに送信する（ステップ５０８）。また、システム制御部２０２は、ＵＲＬを送信した後に、またはＵＲＬを送信するとともに、テレビ上でのインターネットサイトの表示を終了するように、表示部２０６等を制御する。
【００８５】
データ送受信部２１０により前記データを受信したテレビは、インターネットサイトの表示を中止する（ステップ５１８）。さらに、最後にテレビが表示していたインターネットサイトのＵＲＬをデータ送受信部２１０を介して携帯電話に送信し（ステップ５１９）、インターネットの表示を開始する前に表示していたテレビ番組を例えば画面表示４０３のように表示する（ステップ５２０）。前記ステップ５２０ではテレビは再びテレビ単体で動作する状態となり、通常モードとなる。また、ステップ５２０においては、テレビは携帯電話からＵＲＬを受信する以前に表示していたコンテンツの表示を再開する。なお、ステップ５２０にて、テレビはインターネットサイトの表示を終了するのみでもよい。ユーザは、テレビの表示を終了する操作の手間を軽減することが可能となる。
【００８６】
また、携帯電話は、前記最後にテレビが表示していたインターネットサイトのＵＲＬを受信し、該ＵＲＬのインターネットサイトにアクセスし、表示を行う（ステップ５１０）。この動作により、インターネットサイトの表示がテレビから携帯電話に切り替わるため、携帯電話は表示切り換えモードとなる。このステップの動作は、例えば制御部３０１の制御によって行われる。また、このステップの動作により携帯電話においてインターネットサイトの表示が再開されることになる。
【００８７】
この際、システム制御部３０１は携帯電話からテレビを操作するために使用していた入力部１０２の一部のキーに割り当てる機能を変更し、通常の携帯電話を操作するキーとして扱う（ステップ５１１）。また、画面表示は例えば画面表示４０４から画面表示４０１に切り替わり、ユーザは画面表示４０１のように表示されるインターネットサイトの閲覧を継続する（ステップ５１２）。ステップ５１２では再び携帯電話単体で動作する状態に復帰するため、携帯電話は通常モードとなる。
【００８８】
このように、モバイル端末１０１で閲覧するインターネットサイトのＵＲＬを無線通信によりインターネット接続端末１００に送信し、該ＵＲＬを受信したインターネット接続端末１００にてインターネットサイトを表示し、さらにユーザがインターネットサイトを表示したインターネット接続端末１００の操作をモバイル端末１０１を用いて行う。
【００８９】
モバイル端末１０１は、ユーザがインターネットの表示をインターネット接続端末１００に切り換えるためのボタンを一度押下するだけで、モバイル端末１０１が単体で動作する通常モードから、インターネット接続端末１００に表示を切り換える表示切り換えモードになり、さらにこれに続いてインターネット接続端末１００をモバイル端末１０１で操作する操作切り換えモードに次々と遷移する。また、再びモバイル端末１０１でインターネットを表示する際にも、インターネットをモバイル端末１０１で見るためのボタンを一度押下するだけで、操作切り換えモードを終了し、表示切り換えモードに遷移し、さらに通常モードに復帰するという一連の動作を行う。
【００９０】
これにより、ユーザは新しくインターネットサイトの表示を行おうとする端末に対して操作することなく、モバイル端末１００だけを用いた簡単な操作によりインターネットサイトをより大きな画面で表示し、さらにモバイル端末１００を継続して用いて新しくインターネットサイトを表示した端末の操作を行うことができ、ユーザはインターネットサイトの表示を異なる端末間で円滑に切り替えることができる。
【００９１】
なお、上述の実施例において、画面表示４０６ではインターネット接続端末１０１の表示部２０６に全画面表示でインターネットサイトを表示しているが、インターネットサイトは画面の一部に表示されてもよい。
【００９２】
本実施例では、インターネットサイトをモバイル端末１０１で閲覧している場合において、インターネット網を介して行う通信と、受信した情報を映像として出力する処理とを行う主体が、モバイル端末１０１からインターネット接続装置１００に切り替わることとなる。このため、例えばインターネット接続装置１００がインターネット網を介して通信を行う通信速度がモバイル端末１０１ネットワーク網を介して行う通信速度よりも高速である場合には、ユーザは、インターネットサイト閲覧のための操作をモバイル端末１０１で行える一方、より高速な通信によりインターネットサイトの閲覧を行うことが可能となる。
【００９３】
また、本実施例では、インターネット接続端末の例として、テレビ装置、セットボックス装置、DLNA対応サーバがあると述べた。本実施例をこれらの機器に適用すると、以下述べる状況下において発生する問題点を解決することができる。
【００９４】
例えば、これらのテレビ等の情報処理装置は、リビング等に設置され、複数人で共同利用される事が多い。このため、テレビ等のディスプレイを利用した視聴を、急遽中断する必要がある場合がある。具体的には、複数人でテレビを視聴することとなり、個人がインターネットサイトの表示がしにくくなる場合である。
【００９５】
この場合において、ユーザがインターネットサイト等の視聴をモバイル端末１００にて継続するには、例えば、テレビの表示をインターネットサイトの表示画面を消し、通信機能付きの携帯電話のブラウザを起動し、ディスプレイで表示していたURLを携帯電話に入力することにより、通信機能付き携帯電話により視聴を継続する事が考えられる。しかし、この方法では操作に多大なステップがかかるという問題がある。
【００９６】
これに対して、本実施例のモバイル端末１０１、インターネット接続装置１００によると、例えば上記のような問題点を解決し、表示と通信の主体をモバイル端末１０１からインターネット接続装置１００に切り換えるのみならず、インターネット接続装置１００からモバイル端末に切り換える動作を使い勝手良く行えることが可能となる。
【００９７】
なお、本実施例においては、コンテンツ情報の例として、インターネットサイトについて説明したが、本実施形式においてはこれに限らず、テレビ番組等、その他のコンテンツを示す情報でもよい。また、識別情報の例として、ＵＲＬについて説明したが、これに限られるものではない。例えば、識別情報としてもテレビ番組のチャンネルを示す情報等を行ってもよい。
【実施例２】
【００９８】
次に、実施例２について説明する。本実施例では、実施例１のインターネット接続端末１００及びモバイル端末１０１において、ＵＲＬの送受信や各種操作の指示の送受信に用いる通信に赤外線通信を用いて実施例１と同等の動作を実現する方法について説明する。  
【００９９】
以下、本実施例を図面に基づいて説明する。また、以下において、先の実施例と均等なものには同一の符号を付し、その説明は重複を避ける為に割愛する。
【０１００】
図６に示す実施例２のインターネット接続端末１００は、図２に示す実施例１と異なり、データ送受信部２１０が赤外線送受信部６００となっており、該赤外線送受信部６００は、例えば、製造メーカー等によって規定される赤外線コマンドの通信フォーマットや、ＩｒＤＡ規格に準拠した赤外線通信を用いてデータの送受信を行う。
【０１０１】
図７に示す実施例２のモバイル端末１０１は、図３に示す実施例１と異なり、データ送受信部３０６が赤外線送受信部７００となっており、該赤外線送受信部７００は例えばＩｒＤＡ規格に準拠した赤外線の信号を用いてデータの送受信を行う。
【０１０２】
以下図６と図７及び図８のフローチャートを参照して本実施例の動作を説明する。本実施例では、インターネット接続端末１００は、デジタル放送を受信再生中に、ユーザの操作によりモバイル端末１０１から赤外線通信にてインターネットサイトのＵＲＬが送信されてくると、該インターネットサイトを表示し、この表示に続いてモバイル端末１０１によるインターネット接続端末１００の操作を赤外線通信にて受け付けるものである。
【０１０３】
図８は、本発明の実施例１で用いた図５のフローチャートに、太枠で示すステップを加えたものである。図８は図５と同様に、モバイル端末１０１の動作を枠５００の中に示し、インターネット接続端末１００の動作を枠５１３の中に示しており、以降の説明では枠５００内の動作の流れと枠５１３内の動作の流れを並行して説明することにより、モバイル端末１０１とインターネット接続端末１００のそれぞれの動作の流れと、両端末の動作の流れにおける関連を同時に説明する。また以降の説明では、モバイル端末１０１の例として携帯電話とし、インターネット接続端末１００の例としてインターネット接続機能を有するテレビとする。
【０１０４】
先ず、ユーザは予め、携帯電話に対し、所定の設定画面にて後述するインターネットの閲覧を行う対象となるテレビの種類を、例えば入力部１０２を用いてメーカや型番の指定により設定する（ステップ５０１）。本実施例においては、コマンドは、例えば、テレビにおいて受信及び処理を行うことができる汎用の赤外線コマンドとする。汎用の赤外線コマンドは、例えばPPM(Pulse Position Modulation)信号の形式で送信されるコマンドとする。また、汎用の赤外線コマンドのフォーマットは、例えばメーカ毎に定められ、付属するリモコンとの通信に利用されるフォーマットとする。
【０１０５】
ユーザは所定の操作によりテレビの電源を入れ、テレビは先に述べた仕組みによりデジタル放送受信部２００から受信する放送を受信再生する（ステップ５１４）。
【０１０６】
ユーザは携帯電話に所定のインターネットの表示を開始する操作を行う。該操作により、携帯電話の表示部３０５には画面表示４０１に示すようにインターネットサイトが表示され、ユーザはインターネットサイトを閲覧することができる（ステップ５０２）。
【０１０７】
前記インターネットサイトの閲覧中に、ユーザが該インターネットサイトをテレビで閲覧しようとしたとする。この場合、ユーザは携帯電話の表示部３０５内に表示されるボタン４０２を選択する操作を行う（ステップ５０３）。
【０１０８】
前記操作により、携帯電話の赤外線送受信部７００は、ステップ５０１にて設定された種類のテレビが認識可能な赤外線コマンドの送信により、テレビに対してＩｒＤＡの通信の開始を指示する（ステップ８００）。当該赤外線コマンドを受信したテレビはＩｒＤＡの通信を開始し（ステップ８０１）、携帯電話に対してＩｒＤＡの通信の接続を要求する（ステップ８０２）。一方、携帯電話は、ステップ８００にて赤外線コマンドを送信した直後に、ＩｒＤＡの接続を開始する準備をし、テレビからの前記ＩｒＤＡの通信の接続を要求に応答し、テレビと携帯電話間のＩｒＤＡの通信の接続が確立する（ステップ８０３）。また、システム制御部３０１は、ＵＲＬを送信した後に、またはＵＲＬを送信するとともに、モバイル端末１０１上でのインターネットサイトの表示を終了するように、表示部３０５等を制御する。
【０１０９】
前記ＩｒＤＡの通信の接続が確立されたことを受け、携帯電話のシステム制御部３０１は、表示中のインターネットサイトのＵＲＬを、赤外線送受信部７００によるＩｒＤＡの通信を介してテレビに送信する（ステップ５０４）。
【０１１０】
テレビは前記ＵＲＬを赤外線送受信部６００を介して携帯電話から受信する（ステップ５１５）。さらにテレビは携帯電話に対してＵＲＬの受信に成功したことを示すデータを赤外線送受信部６００によるＩｒＤＡの通信を介して携帯電話に送信する（ステップ８０４）。携帯電話は前記ＵＲＬの受信に成功したことを示すデータを受信すると（ステップ８０５）、赤外線送受信部７００によるＩｒＤＡの通信を切断する（ステップ８０６）。該切断により、テレビも赤外線送受信部６００によるＩｒＤＡの通信を終了し、図示せぬリモコンなどから受け付ける通常の赤外線コマンドを受け付ける状態となる。さらに、先に述べた手順により前記ＵＲＬが示すインターネットサイトに接続し、画面表示４０６に示すように、表示部２０６にインターネットサイトを表示する（ステップ５１６）。
【０１１１】
一方、携帯電話では、前記ＵＲＬを送信した後に、システム制御部３０１が入力部１０２の一部のキーを用いて、後述するテレビを操作可能な構成にし、表示部３０５には、例えば画面表示４０４に示すように該キーの押下により可能な操作の内容をユーザに説明する表示を行う（ステップ５０５）。ここで、前記テレビを操作可能な構成とは、入力部１０２の一部のキーを押下することにより、ステップ５０１で設定された種類のテレビが判別可能なテレビを操作する赤外線コマンドを赤外線送受信部７００を介して送信することであり、該赤外線コマンドは例えばステップ５０１で設定された種類のテレビの図示せぬリモコンが送信する赤外線コマンドと同じ内容となる。これにより、ユーザが前記テレビに表示中のインターンネットサイトの選択項目の移動や、選択項目の決定などの操作を行おうとした場合には、携帯電話の前記入力部１０２のキーのうち、画面表示４０４が示す操作内容に対応するキーを押下することにより、携帯電話からテレビに対して該操作の指示を送信する（ステップ５０６）。
【０１１２】
携帯電話から前記操作の指示を受信したテレビは、インターネットを表示する画面表示４０６の画面やインターネットブラウザ２０８の動作に該指示の内容を反映させる（ステップ５１７）。
【０１１３】
上述のようなユーザがテレビでインターネットサイトを閲覧する状態から、再び携帯電話でインターネットサイトを閲覧する状態に戻ろうとした場合、ユーザは携帯電話の表示部３０５内に表示されるボタン表示４０５を選択する操作を行う（ステップ５０７）。該操作により、携帯電話は赤外線送受信部７００を介したインターネットの表示の終了を示す赤外線コマンドをテレビに送信する（ステップ５０８）。
【０１１４】
前記赤外線コマンドを受信したテレビは、インターネットサイトの表示を中止する（ステップ５１８）。さらに、テレビはＩｒＤＡの通信を開始し、携帯電話にＩｒＤＡの通信の接続を要求する（ステップ８０８）。一方、携帯電話はステップ５０８で赤外線コマンドを送信した直後に、ＩｒＤＡの通信を開始し、テレビからの前記ＩｒＤＡの通信の接続を要求を受け、ＩｒＤＡの通信の接続が確立する（ステップ８０９）。
【０１１５】
前記通信の接続が確立されたことを受け、テレビは最後にテレビが表示していたインターネットサイトのＵＲＬを赤外線送受信部６００を介して携帯電話に送信する（ステップ５１９）。携帯電話は当該ＵＲＬを受信し（ステップ５０９）、ＵＲＬの受信成功を示すデータをＩｒＤＡの通信によりテレビに送信する（ステップ８１０）。テレビは当該データを受信し（ステップ８１１）、赤外線送受信部６００によるＩｒＤＡの通信を終了し、図示せぬリモコンなどから受け付ける通常の赤外線コマンドを受け付ける状態となる（ステップ８１２）。さらに、テレビはインターネットの表示を開始する前に表示していたテレビ番組を例えば画面表示４０３のように表示する（ステップ５２０）。
【０１１６】
一方、前記最後にテレビが表示していたインターネットサイトのＵＲＬを受信した携帯電話は、ＩｒＤＡによる通信を終了し（ステップ８１３）、該ＵＲＬのインターネットサイトにアクセスし、表示を行う（ステップ５１０）。この際、システム制御部３０１は携帯電話からテレビを操作するために使用していた入力部１０２の一部のキーにわりあてる機能を変更し、通常の携帯電話を操作するキーとして扱う（ステップ５１１）。また、画面表示は例えば画面表示４０４から画面表示４０１に切り替わり、ユーザは画面表示４０１のように表示されるインターネットサイトの閲覧を継続する（ステップ５１２）。
【０１１７】
このように、モバイル端末１０１で閲覧するインターネットサイトのＵＲＬを赤外線通信によりインターネット接続端末１００に送信し、該ＵＲＬを受信したインターネット接続端末１００にてインターネットサイトを表示し、さらにユーザがインターネットサイトを表示したインターネット接続端末１００の操作をモバイル端末１０１を用いて行う。また、これらのＵＲＬや操作の指示の送信に際し、テレビがリモコンなどから受信する赤外線コマンドによる通信とＩｒＤＡによる通信を上述のように切り替えながら携帯電話を用いたテレビの操作を実現する。
【０１１８】
これにより、ユーザは新しくインターネットサイトの表示を行おうとする端末に対して操作することなく、モバイル端末１００だけを用いた簡単な操作によりインターネットサイトをより大きな画面で表示し、さらにモバイル端末１００を継続して用いて新しくインターネットサイトを表示した端末の操作を行うことができ、ユーザはインターネットサイトの表示を異なる端末間で円滑に切り替えることができる。
【０１１９】
なお、本実施例の構成では、前記ＵＲＬを送信する際にＩｒＤＡの通信を用いているが、ＩｒＤＡの通信の通信に限らず、他の通信手段を用いてもよい。
【０１２０】
また、本実施例では、インターネット接続端末１００の例として、テレビ装置、セットボックス装置、DLNA対応サーバがあると述べたが、本実施例をこれらの機器に適用すると以下述べる状況下において発生する問題点を解決することができる。
【０１２１】
例えば、テレビ装置に用いられる汎用の赤外線コマンドでは、送受信できるコマンドの種類が限定されている、あるいは通信速度に制限がある。一方、URLや、操作情報を示す信号は、単にリモコンで電源をオンオフするために送受信する信号に比べて、その情報量が多い。このため、汎用の赤外線コマンドを利用した場合は、URLや操作情報を携帯端末と情報処理装置の間で送受信することはできない、あるいはできても情報の送受信に時間がかかるという問題点がある。
【０１２２】
一方、IrDAに準拠した通信を行う場合は、情報を送受信するために、モバイル端末１０１とインターネット接続端末１００との間で通信を確立する必要がある。このため、汎用コマンドからIrDAに通信の切り換えを行わない場合には、常に情報処理装置側で、IrDAによる通信を待ち受ける状態にする必要がある。そして、常に接続を確立しておく状態とすると、インターネット接続端末１００が他の機器との赤外線通信を行えなくなるという不具合が生ずる。
【０１２３】
これに対して本実施例では、汎用の赤外線コマンドによる命令をトリガーにして通信を切り換えるため、上記不具合を解消し、使い勝手の向上を図ることが可能となる。
【０１２４】
なお、本実施例では、IrDAによる通信を例として説明したが、例えば、Bluetoothによる通信や、無線ＬＡＮ等の無線通信、音波による通信等の近距離通信を利用することも可能である。情報の送受信に通信リンクを確立させておく必要がある通信方式で通信を行う際には、本実施例は特に有用となる。
【０１２５】
なお、本実施例においては、コンテンツ情報の例として、インターネットサイトについて説明したが、本実施形式においてはこれに限らず、テレビ番組等、その他のコンテンツを示す情報でもよい。また、識別情報の例として、ＵＲＬについて説明したが、これに限られるものではない。例えば、識別情報としてもテレビ番組のチャンネルを示す情報等を行ってもよい。
【実施例３】
【０１２６】
次に実施例３について説明する。本実施例では、実施例１のインターネット接続端末１００及びモバイル端末１０１において、ＵＲＬの送受信や各種操作の指示の送受信を行う際に、単にＵＲＬが示すインターネットサイトを表示するのみならず、モバイル端末１０１でインターネットサイトを表示していた状態まで、モバイル端末１０１からインターネット接続装置１００に引き継ぐ動作を実現する方法について説明する。
【０１２７】
ここで、表示している状態とは、例えば、認証が必要なインターネットサイトについてモバイル端末１０１で、ログイン後の画面を表示させている状態をいう。また、表示している状態とは、例えば、URLが変わらぬまま動的にコンテンツの表示状態が変化するインターネットサイトにおける変化後の表示状態をいう。
【０１２８】
そして、表示の状態を示す情報として、例えば表示部３０５での表示に影響を与えたユーザの操作の履歴を示す情報がある。表示の状態を示す情報として、ＵＲＬには含まれず、インターネットサイトを閲覧する場合に表示画面３０５の表示に影響を与える情報を含んでもよい。また、表示の状態を示す情報として、Shift-JISやＥＵＣ、UTF-8等の文字エンコードを示す情報でもよい。また、例えば、表示の状態を示す情報として、Ｃｏｏｋｉｅをでもよい。また、表示の状態を示す情報は、モバイル端末１０１でインターネットサイトを表示させている場合において、表示が切り替わる際に表示部３０５に表示されていたポインターの位置や、スクロールバーの位置等を示す情報でもよい。また、ポインター等の位置については、表示画面中におけるポインターの相対的な位置を示す情報でもよい。これにより、モバイル端末１０１とインターネット接続端末１００の表示領域の大きさが異なる場合でも、その相対的な位置をインターネット接続端末１００において再現可能となる。
【０１２９】
以下、本実施例を図面に基づいて説明する。なお、本説明では、認証処理を伴うインターネットサイトをモバイル端末１０１からインターネット接続端末１００に引き継ぐ例について説明する。また、以下において、先の実施例と均等なものには同一の符号を付し、
その説明は重複を避ける為に割愛する。
【０１３０】
図９は、本実施例において認証処理を伴うインターネットサイトをユーザが閲覧する際に、モバイル端末１０１が記録する該インターネットサイトに対するユーザ操作の操作履歴９００のデータの構成要素と内容の一例を示しており、モバイル端末１０１は該操作履歴９００をデータ保存部３０３に保存する。
【０１３１】
この操作履歴９００に含まれる情報としては、例えば、テキストボックスに入力した文字列や、インターネットサイト上でクリックされたボタンやアイコンを示す情報や、リストボックス上で選択された内容を示す情報がある。また、操作履歴９００に含まれる情報として、このような操作の結果として表示されるＵＲＬを示す情報を含んでもよい。
【０１３２】
図１０は、本実施例においてＵＲＬが変更することなく動的に内容が変化するインターネットコンテンツをユーザが閲覧する際に、モバイル端末１０１が記録する該インターネットコンテンツに対するユーザ操作の操作履歴１０００のデータの構成要素と内容の一例を示しており、モバイル端末１０１は該操作履歴１０００をデータ保存部３０３に保存する。操作履歴１０００には、例えば、クリックされた座標の位置を示す情報が含まれる。
【０１３３】
図１１は、本実施例においてモバイル端末１０１がインターネット接続端末１００に送信する送信データ１１００を示しており、該送信データ１１００は、データ長やデータ種別の識別情報が記載されたヘッダ・データ１１０１と、インターネットサイトのＵＲＬ１１０２と、操作履歴９００とから構成される。
【０１３４】
以下、図９と図１０と図１１及び図１２のフローチャートを参照して本実施例の動作を説明する。本実施例では、モバイル端末１０１は、例えば、ユーザが閲覧するインターネットサイトが、認証処理を伴うインターネットサイトや、ＵＲＬが変更することなく動的に内容が変化するインターネットコンテンツ等である場合に、該インターネットサイトに対するユーザ操作の操作履歴９００を記録する。また、実施例１と同様の方法で、モバイル端末１０１は、インターネット接続端末１００にインターネットサイトのＵＲＬを送信する際に、該ＵＲＬに加え、該操作履歴９００とから構成される送信データ１１００を送信する。さらに、インターネット接続端末１００は、前記送信データ１１００を受信することにより、該ＵＲＬが示すインターネットサイトにアクセスし、該操作履歴９００が示すユーザ操作と同じ操作を表示したインターネットサイトに対して行い、前記操作を終えた状態のインターネットサイトの表示を行うものである。
【０１３５】
図１２は、本発明の実施例１で用いた図５のフローチャートに、太枠で示すステップを加えたものである。図１２は図５と同様に、モバイル端末１０１の動作を枠５００の中に示し、インターネット接続端末１００の動作を枠５１３の中に示しており、以降の説明では枠５００内の動作の流れと枠５１３内の動作の流れを並行して説明する。つまり、モバイル端末１０１とインターネット接続端末１００のそれぞれの動作の流れと、両端末の動作の流れにおける関連を同時に説明する。また、以降の説明では、モバイル端末１０１を一例として携帯電話とし、インターネット接続端末１００を一例としてインターネット接続機能を有するテレビとする。
【０１３６】
本実施例では、ステップ５０２においてユーザがインターネットサイトを閲覧している際に、ユーザが該インターネットサイトに対して選択、入力等の操作を行うごとに、携帯電話は操作履歴９００及び操作履歴１０００をデータ保存部２０９に記録する（ステップ１２０１）。
【０１３７】
なお、このとき携帯電話はユーザが閲覧したすべてのインターネットサイトに関する操作履歴９００及び操作履歴１０００を記録する必要はなく、例えば、ＵＲＬがＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）ではじまるなどセキュリティが重要なインターネットサイトである場合や、ＡＳＰ（Ａｃｔｉｖｅ  Ｓｅｒｖｅｒ  Ｐａｇｅｓ）等の機能で動的に生成されたインターネットサイトである場合や、表示したインターネットサイトのドキュメントの構成情報にいわゆるＦＬＡＳＨ（登録商標）等のインタラクティブなコンテンツが含まれる場合などに、これらのインターネットサイトに関してのみ操作履歴９００及び操作履歴１０００を記録しても良い。インターネットサイトがFLASHやASPのコンテンツを含む場合には、そのソースファイルにタグにより定義されているため、携帯電話はこのタグによりサイトの種類を判別することができる。
【０１３８】
また、インターネットサイトが動的に生成されたインターネットサイト等である場合にも、全ての操作履歴を操作履歴１１００の中に記憶する必要はない。操作履歴の中でも、表示に変化を与えた操作に関する履歴を記録する構成としてもよい。例えば、インターネットサイトが動的なFLASHコンテンツを含むものである場合には、操作履歴には、その動的なコンテンツに対してなされたクリックや文字列入力等の操作を記録する構成としてもよい。
【０１３９】
次に、本実施例ではステップ５０３でユーザが該インターネットサイトをテレビで閲覧しようとし、携帯電話の表示部３０５内に表示されるボタン表示４０２に対応するボタンを選択する操作を行った際に、携帯電話は、前記操作履歴９００または操作履歴１０００を記録する起点となったインターネットサイトのＵＲＬ１１０２と、前記操作履歴９００または操作履歴１０００とを含み、さらにヘッダ・データ１１０１を付加した送信データ１１００を構成し、該送信データ１１００をテレビに送信する。また、システム制御部３０１は、ＵＲＬを送信した後に、携帯端末上でのインターネットサイトの表示を終了するように、表示部３０５等を制御する。
【０１４０】
一方、テレビは前記送信データ１１００を受信すると（ステップ１２０３）、前記ＵＲＬ１１０２のインターネットサイトにアクセスし、前記操作履歴９００または操作履歴１０００にて示される操作を該インターネットサイトに対して行い、該操作を行った後の状態のインターネットサイトを表示する（ステップ１２０４）。
【０１４１】
なお、ステップ５０９及びステップ５１９において、テレビから携帯電話にＵＲＬを送信し、インターネットサイトにアクセスし表示を行う端末を再び携帯電話に戻す場合にも、上述と同様の方法を用いる。
【０１４２】
このように、ユーザが携帯電話で閲覧するインターネットサイトが、認証処理を伴うインターネットサイトであるか、ＵＲＬが変更することなく動的に内容が変化するインターネットコンテンツ等の場合に、テレビは、データ保存部２０９に該インターネットサイトに対するユーザ操作の操作履歴９００及び操作履歴１０００を記録する。さらに、テレビは、操作履歴９００及び操作履歴１０００を記録する起点となったインターネットサイトのＵＲＬと、操作履歴９００及び操作履歴１０００とから構成される送信データ１１００をテレビに送信する。また、テレビは、前記送信データ１１００を受信したテレビが該ＵＲＬが示すインターネットサイトにアクセスし、該インターネットサイトに操作履歴９００及び操作履歴１０００が示す操作を行い、前記操作を終えた状態のインターネットサイトの表示を行う。
【０１４３】
これにより、ユーザは、同一のインターネットサイトへのアクセスを異なる端末間で切り換える際に、閲覧中のインターネットサイトが、認証処理を伴うインターネットサイトであるか、ＵＲＬが変更することなく動的に内容が変化するインターネットコンテンツである場合も、新しくインターネットサイトにアクセスする端末に対して、再度認証処理やコンテンツ操作を行うことなく、円滑にアクセスの切り替えを行うことができる。
【０１４４】
また、表示情報を送信せずに、ＵＲＬを携帯電話よりＵＲＬをテレビ等の情報処理装置に送信する場合、情報処理装置では、該ＵＲＬが示すインターネットサイトが、何も表示に影響を与えるような操作がされていない状態で表示されることとなる。従って、インターネットサイトの構造が複雑であればあるほど、単に表示しているＵＲＬを送信してから、携帯電話での操作を反映させた状態になるまで多くの操作が必要となるが、本実施例のモバイル端末１０１及びインターネット接続端末１００によると、その操作の手間を軽減することが可能となる。
【０１４５】
以上、各実施例について説明したが。モバイル端末１０１に代えて、その他の情報処理端末としても、インターネットによる通信と、複数の端末間で、円滑なアクセスの切り替えを行うことができる。
【符号の説明】
【０１４６】
１００・・・インターネット接続端末、１０１・・・モバイル端末、１０２・・・入力部、１０３・・・基地局、１０４・・・インターネット、２００・・・デジタル放送受信部、２０１・・・デジタル放送信号処理部、２０２・・・システム制御部、２０３・・・音声処理部、２０４・・・スピーカ、２０５・・・映像処理部、２０６・・・表示部、２０７・・・ネットワーク通信部、２０８・・・インターネットブラウザ、２０９・・・データ保存部、２１０・・・データ送受信部、３００・・・通信部、３０１・・・システム制御部、３０２・・・インターネットブラウザ、３０３・・・データ保存部、３０４・・・映像処理部、３０５・・・表示部、３０６・・・データ送受信部、４０１・・・画面表示、４０２・・・ボタン表示、４０３・・・画面表示、４０４・・・画面表示、４０５・・・ボタン表示、４０６・・・画面表示、６００・・・赤外線送受信部、７００・・・赤外線送受信部、９００・・・操作履歴、１０００・・・操作履歴、１１００・・・送信データ、１１０１・・・ヘッダ・データ、１１０２・・・ＵＲＬ
【図１】
2020194547.tif 000003
【図２】
2020194547.tif 000004
【図３】
2020194547.tif 000005
【図４】
2020194547.tif 000006
【図５】
2020194547.tif 000007
【図６】
2020194547.tif 000008
【図７】
2020194547.tif 000009
【図８】
2020194547.tif 000010
【図９】
2020194547.tif 000011
【図１０】
2020194547.tif 000012
【図１１】
2020194547.tif 000013
【図１２】
2020194547.tif 000014
【手続補正書】
【提出日】令和2年7月1日(2020.7.1)
【手続補正１】
【補正対象書類名】明細書
【補正対象項目名】００１５
【補正方法】変更
【補正の内容】
【００１５】
本発明の一実施の態様は、例えば特許請求の範囲に記載されるように構成すればよい。
【手続補正２】
【補正対象書類名】明細書
【補正対象項目名】００１６
【補正方法】削除
【補正の内容】